(57)【要約】【課題】少量の潤滑油によって潤滑性能を確保することが可能な動力伝達装置の潤滑構造を提供する。【解決手段】ハウジング１１に対して第１の回転軸回りに回動する円環状に形成されたクラウンギヤ８０と、ハウジングに対して第１の回転軸とねじれて配置された第２の回転軸回りに回動するとともにクラウンギヤと噛合うピニオンギヤ７２とを備える動力伝達装置の潤滑構造を、ピニオンギヤとの噛合箇所Ｍの近傍におけるクラウンギヤの内径側にハウジングに対して固定されて設けられた潤滑油案内部３００を有し、潤滑油案内部は、下方からクラウンギヤがかき上げる潤滑油Ｏ１を偏向させて噛合箇所側へ案内する下面部３１２を有する構成とする。【選択図】図３
2020070841.tif 000002
【特許請求の範囲】
【請求項１】
ハウジングに対して第１の回転軸回りに回動するとともに前記第１の回転軸と同心の円環状に形成されたクラウンギヤと、
前記ハウジングに対して前記第１の回転軸と交わり又はねじれて配置された第２の回転軸回りに回動するとともに前記クラウンギヤと噛合うピニオンギヤと
を備える動力伝達装置の潤滑構造であって、
前記ピニオンギヤとの噛合箇所の近傍における前記クラウンギヤの内径側に前記ハウジングに対して固定されて設けられた潤滑油案内部を有し、
前記潤滑油案内部は、前記クラウンギヤの回転軸方向から見たときに前記ピニオンギヤ側が水平方向における反対側に対して高くなる方向に傾斜して配置され、下方から前記クラウンギヤがかき上げる潤滑油を偏向させて前記噛合箇所側へ案内する下面部を有すること
を特徴とする動力伝達装置の潤滑構造。
【請求項２】
前記動力伝達装置は、前記クラウンギヤの歯側とは反対側に取り付けられる差動機構を備え、
前記下面部は、下方から前記クラウンギヤがかき上げる潤滑油の一部を偏向させて前記差動機構を収容するデフケースに形成され潤滑油を前記差動機構へ導入する開口側へ案内すること
を特徴とする請求項１に記載の動力伝達装置の潤滑構造。
【請求項３】
ハウジングに対して第１の回転軸回りに回動するとともに前記第１の回転軸と同心の円環状に形成されたクラウンギヤと、
前記ハウジングに対して前記第１の回転軸と交わり又はねじれて配置された第２の回転軸回りに回動するとともに前記クラウンギヤと噛合うピニオンギヤと、
前記クラウンギヤの歯側とは反対側に取り付けられる差動機構と
を備える動力伝達装置の潤滑構造であって、
前記クラウンギヤの内径側に前記ハウジングに対して固定されて設けられた潤滑油案内部を有し、
前記潤滑油案内部は、下方から前記クラウンギヤがかき上げる潤滑油を偏向させて前記差動機構を収容するデフケースに形成され潤滑油を前記差動機構へ導入する開口側へ案内する下面部を有すること
を特徴とする動力伝達装置の潤滑構造。
【請求項４】
前記下面部は、前記クラウンギヤの径方向に沿った水平方向から見たときに、歯側に対して前記差動機構側が高くなる方向に傾斜していること
を特徴とする請求項２又は請求項３に記載の動力伝達装置の潤滑構造。
【請求項５】
前記潤滑油案内部は、前記クラウンギヤの回転軸方向から見たときに前記ピニオンギヤ側が水平方向における反対側に対して低くなる方向に傾斜して配置され、上方から滴下する潤滑油を偏向させて前記噛合箇所側へ案内する上面部を有すること
を特徴とする請求項１から請求項４までのいずれか１項に記載の動力伝達装置の潤滑構造。
【請求項６】
ハウジングに対して第１の回転軸回りに回動するとともに前記第１の回転軸と同心の円環状に形成されたクラウンギヤと、
前記ハウジングに対して前記第１の回転軸と交わり又はねじれて配置された第２の回転軸回りに回動するとともに前記クラウンギヤと噛合うピニオンギヤと
を備える動力伝達装置の潤滑構造であって、
前記ピニオンギヤとの噛合箇所の近傍における前記クラウンギヤの内径側に前記ハウジングに対して固定されて設けられた潤滑油案内部を有し、
前記潤滑油案内部は、前記クラウンギヤの回転軸方向から見たときに前記ピニオンギヤ側が水平方向における反対側に対して低くなる方向に傾斜して配置され、上方から滴下する潤滑油を偏向させて前記噛合箇所側へ案内する上面部を有すること
を特徴とする動力伝達装置の潤滑構造。
【請求項７】
前記動力伝達装置は、前記クラウンギヤの歯側とは反対側に取り付けられる差動機構を備え、
前記上面部は、上方から滴下する潤滑油の一部を偏向させて前記差動機構を収容するデフケースに形成され潤滑油を前記差動機構へ導入する開口側へ案内すること
を特徴とする請求項５又は請求項６に記載の動力伝達装置の潤滑構造。
【請求項８】
ハウジングに対して第１の回転軸回りに回動するとともに前記第１の回転軸と同心の円環状に形成されたクラウンギヤと、
前記ハウジングに対して前記第１の回転軸と交わり又はねじれて配置された第２の回転軸回りに回動するとともに前記クラウンギヤと噛合うピニオンギヤと、
前記クラウンギヤの歯側とは反対側に取り付けられる差動機構と
を備える動力伝達装置の潤滑構造であって、
前記クラウンギヤの内径側に前記ハウジングに対して固定されて設けられた潤滑油案内部を有し、
前記潤滑油案内部は、上方から滴下する潤滑油を偏向させて前記差動機構を収容するデフケースに形成され潤滑油を前記差動機構へ導入する開口側へ案内する上面部を有すること
を特徴とする動力伝達装置の潤滑構造。
【請求項９】
前記上面部は、前記クラウンギヤの径方向に沿った水平方向から見たときに、歯側に対して前記差動機構側が低くなる方向に傾斜していること
を特徴とする請求項７又は請求項８に記載の動力伝達装置の潤滑構造。
【請求項１０】
前記クラウンギヤの下部を覆って設けられたバッフル部を備え、
前記潤滑油案内部は、前記バッフル部と一体に形成されること
を特徴とする請求項１から請求項９までのいずれか１項に記載の動力伝達装置の潤滑構造。
【発明の詳細な説明】
【技術分野】
【０００１】
本発明は、自動車等の車両に設けられる動力伝達装置の潤滑構造に関する。
【背景技術】
【０００２】
自動車等の車両においては、エンジン等の走行用動力源の出力軸の回転を、トランスミッションの変速機構部によって変速し、さらに最終減速装置において減速した後、ドライブシャフトを介して左右の駆動輪に伝達している。
回転軸が車両前後方向に沿って配置される縦置きトランスミッションを有する車両の前輪用最終減速装置や、プロペラシャフトを介して駆動される後輪用最終減速装置においては、減速用の歯車機構として、食い違い軸傘歯車であるハイポイドギヤが用いられる場合がある。
【０００３】
このような車両用の動力伝達装置に関する従来技術として、例えば特許文献１には、デフケースが取り付けられるリングギヤ（クラウンギヤ）の下部を、上方へ開口する椀状の潤滑油収容部品であるバッフルプレートにより覆い、リングギヤの回転に伴う潤滑油の攪拌抵抗を低減することが記載されている。
特許文献２には、ディファレンシャルキャリアの上方に潤滑油を一時的に貯留するブリーザ室を形成し、ブリーザ室から下垂する潤滑プレートを介してドライブピニオンに潤滑油を滴下することが記載されている。
特許文献３には、ドライブピニオンギヤが油溜からかき上げた潤滑油を受止部により受け止め、ディファレンシャルの側部を支持するベアリングに案内することが記載されている。
【先行技術文献】
【特許文献】
【０００４】
【特許文献１】特開２０１６−１６６６１５号公報
【特許文献２】特開２００２−２９５６４４号公報
【特許文献３】特開２０１７−  ８２８３７号公報
【発明の概要】
【発明が解決しようとする課題】
【０００５】
ハイポイドギヤは、回転時に歯面の滑りを伴うことから、潤滑に関しては他の種類のギヤよりもシビアであり、潤滑油の供給が不足して十分な油膜が形成されなくなると、焼き付きなどのトラブルや、伝達効率の悪化が懸念される。
このため、従来は比較的高粘度の潤滑油を用いることにより歯面の油膜を確保していたが、潤滑油の高粘度化は攪拌ロスを増大させるため、車両の燃費悪化の一因となる。
また、上述した従来技術のように、ピニオンギヤ、クラウンギヤなどの回転部品がかき上げた潤滑油をギヤに滴下させる場合、十分な潤滑性能を得るためにはハウジング内の潤滑油飛沫の飛散量を相当に多くする必要がある。攪拌ロスを低減するためバッフル部材によりクラウンギヤ周辺への潤滑油の流入量を抑制した場合や、ハウジング内の油量（油面高さ）を抑制した場合には、ハウジング内の潤滑油飛沫が少なくなるため、このような従来技術の適用は困難である。
上述した問題に鑑み、本発明の課題は、少量の潤滑油によって潤滑性能を確保することが可能な動力伝達装置の潤滑構造を提供することである。
【課題を解決するための手段】
【０００６】
本発明は、以下のような解決手段により、上述した課題を解決する。
請求項１に係る発明は、ハウジングに対して第１の回転軸回りに回動するとともに前記第１の回転軸と同心の円環状に形成されたクラウンギヤと、前記ハウジングに対して前記第１の回転軸と交わり又はねじれて配置された第２の回転軸回りに回動するとともに前記クラウンギヤと噛合うピニオンギヤとを備える動力伝達装置の潤滑構造であって、前記ピニオンギヤとの噛合箇所の近傍における前記クラウンギヤの内径側に前記ハウジングに対して固定されて設けられた潤滑油案内部を有し、前記潤滑油案内部は、前記クラウンギヤの回転軸方向から見たときに前記ピニオンギヤ側が水平方向における反対側に対して高くなる方向に傾斜して配置され、下方から前記クラウンギヤがかき上げる潤滑油を偏向させて前記噛合箇所側へ案内する下面部を有することを特徴とする動力伝達装置の潤滑構造である。
これによれば、クラウンギヤがかき上げる潤滑油の一部を、潤滑油案内部の下面部で偏向させて、クラウンギヤの内径側からクラウンギヤとピニオンギヤとの噛合箇所に供給し、噛合箇所の潤滑状態を改善することができる。
ハイポイドギヤ、スパイラルベベルギヤにおいては、歯面の滑りに伴い、噛合箇所の一方の端部に供給された潤滑油は各ギヤの歯面に沿って他方の端部側へ搬送されることから、少量の潤滑油によって歯面全体を効果的に潤滑することができる。
これによって、伝達効率を改善するとともに、焼付きなどのトラブルを防止して信頼性を向上することができる。
【０００７】
請求項２に係る発明は、前記動力伝達装置は、前記クラウンギヤの歯側とは反対側に取り付けられる差動機構を備え、前記下面部は、下方から前記クラウンギヤがかき上げる潤滑油の一部を偏向させて前記差動機構を収容するデフケースに形成され潤滑油を前記差動機構へ導入する開口側へ案内することを特徴とする請求項１に記載の動力伝達装置の潤滑構造である。
請求項３に係る発明は、ハウジングに対して第１の回転軸回りに回動するとともに前記第１の回転軸と同心の円環状に形成されたクラウンギヤと、前記ハウジングに対して前記第１の回転軸と交わり又はねじれて配置された第２の回転軸回りに回動するとともに前記クラウンギヤと噛合うピニオンギヤと、前記クラウンギヤの歯側とは反対側に取り付けられる差動機構とを備える動力伝達装置の潤滑構造であって、前記クラウンギヤの内径側に前記ハウジングに対して固定されて設けられた潤滑油案内部を有し、前記潤滑油案内部は、下方から前記クラウンギヤがかき上げる潤滑油を偏向させて前記差動機構を収容するデフケースに形成され潤滑油を前記差動機構へ導入する開口側へ案内する下面部を有することを特徴とする動力伝達装置の潤滑構造である。
これらの各発明によれば、クラウンギヤがかき上げる潤滑油の一部を、潤滑油案内部の下面部により偏向させて、クラウンギヤの歯部側から差動機構側へ案内し、差動機構に供給し、差動機構の潤滑状態を改善して信頼性を向上することができる。また、差動機構を収容する部材であるデフケースに設けられる潤滑用の他の開口等を簡素化又は廃止することが可能となり、デフケースの強度確保が容易となる結果、デフケースの小型軽量化を図ることができる。
請求項４に係る発明は、前記下面部は、前記クラウンギヤの径方向に沿った水平方向から見たときに、歯側に対して前記差動機構側が高くなる方向に傾斜していることを特徴とする請求項２又は請求項３に記載の動力伝達装置の潤滑構造である。
これによれば、クラウンギヤがかき上げる潤滑油を偏向させて差動機構側に案内する効果を促進し、上述した効果をより確実に得ることができる。
【０００８】
請求項５に係る発明は、前記潤滑油案内部は、前記クラウンギヤの回転軸方向から見たときに前記ピニオンギヤ側が水平方向における反対側に対して低くなる方向に傾斜して配置され、上方から滴下する潤滑油を偏向させて前記噛合箇所側へ案内する上面部を有することを特徴とする請求項１から請求項４までのいずれか１項に記載の動力伝達装置の潤滑構造である。
請求項６に係る発明は、ハウジングに対して第１の回転軸回りに回動するとともに前記第１の回転軸と同心の円環状に形成されたクラウンギヤと、前記ハウジングに対して前記第１の回転軸と交わり又はねじれて配置された第２の回転軸回りに回動するとともに前記クラウンギヤと噛合うピニオンギヤとを備える動力伝達装置の潤滑構造であって、前記ピニオンギヤとの噛合箇所の近傍における前記クラウンギヤの内径側に前記ハウジングに対して固定されて設けられた潤滑油案内部を有し、前記潤滑油案内部は、前記クラウンギヤの回転軸方向から見たときに前記ピニオンギヤ側が水平方向における反対側に対して低くなる方向に傾斜して配置され、上方から滴下する潤滑油を偏向させて前記噛合箇所側へ案内する上面部を有することを特徴とする動力伝達装置の潤滑構造である。
これらの各発明によれば、噛合箇所の上方の他部品等から滴下する潤滑油の一部を、潤滑油案内部の上面部で偏向させて、クラウンギヤの内径側からクラウンギヤとピニオンギヤとの噛合箇所に供給し、噛合箇所の潤滑状態を改善することができる。
【０００９】
請求項７に係る発明は、前記動力伝達装置は、前記クラウンギヤの歯側とは反対側に取り付けられる差動機構を備え、前記上面部は、上方から滴下する潤滑油の一部を偏向させて前記差動機構を収容するデフケースに形成され潤滑油を前記差動機構へ導入する開口側へ案内することを特徴とする請求項５又は請求項６に記載の動力伝達装置の潤滑構造である。
請求項８に係る発明は、ハウジングに対して第１の回転軸回りに回動するとともに前記第１の回転軸と同心の円環状に形成されたクラウンギヤと、前記ハウジングに対して前記第１の回転軸と交わり又はねじれて配置された第２の回転軸回りに回動するとともに前記クラウンギヤと噛合うピニオンギヤと、前記クラウンギヤの歯側とは反対側に取り付けられる差動機構とを備える動力伝達装置の潤滑構造であって、前記クラウンギヤの内径側に前記ハウジングに対して固定されて設けられた潤滑油案内部を有し、前記潤滑油案内部は、上方から滴下する潤滑油を偏向させて前記差動機構を収容するデフケースに形成され潤滑油を前記差動機構へ導入する開口側へ案内する上面部を有することを特徴とする動力伝達装置の潤滑構造である。
これらの各発明によれば、噛合箇所の上方の他部品から滴下する潤滑油の一部を、潤滑油案内部の上面部により偏向させて、クラウンギヤの歯部側から差動機構側へ案内し、差動機構に供給し、差動機構の潤滑状態を改善することができる。
請求項９に係る発明は、前記上面部は、前記クラウンギヤの径方向に沿った水平方向から見たときに、歯側に対して前記差動機構側が低くなる方向に傾斜していることを特徴とする請求項７又は請求項８に記載の動力伝達装置の潤滑構造である。
これによれば、上方から滴下する潤滑油を偏向させて差動機構側に案内する効果を促進し、上述した効果をより確実に得ることができる。
【００１０】
請求項１０に係る発明は、前記クラウンギヤの下部を覆って設けられたバッフル部を備え、前記潤滑油案内部は、前記バッフル部と一体に形成されることを特徴とする請求項１から請求項９までのいずれか１項に記載の動力伝達装置の潤滑構造である。
これによれば、クラウンギヤにバッフルが設けられる動力伝達装置において、部品点数を増加させることなく本発明を適用することが可能であり、バッフルを設けたことでクラウンギヤがかき上げる潤滑油が減少した場合であっても、少量の潤滑油飛沫を効果的に利用して動力伝達装置の潤滑状態を改善することができる。
【発明の効果】
【００１１】
以上説明したように、本発明によれば、少量の潤滑油によって潤滑性能を確保することが可能な動力伝達装置の潤滑構造を提供することができる。
【図面の簡単な説明】
【００１２】
【図１】本発明を適用した動力伝達装置の潤滑構造の第１実施形態を有する変速機の模式的断面図である。
【図２】第１実施形態の変速機におけるハイポイドギヤ周辺の斜視図である。
【図３】第１実施形態の変速機におけるハイポイドギヤ周辺をクラウンギヤの軸方向から見た模式図である。
【図４】図３のIV−IV部矢視模式的断面図等である。
【図５】本発明を適用した動力伝達装置の潤滑構造の第２実施形態を有する変速機におけるハイポイドギヤ周辺の斜視図である。
【図６】第２実施形態の変速機におけるハイポイドギヤ周辺をクラウンギヤの軸方向から見た模式図である。
【図７】図６のVII−VII部矢視模式的断面図等である。
【図８】本発明を適用した動力伝達装置の潤滑構造の第３実施形態を有する変速機におけるハイポイドギヤ周辺の斜視図である。
【図９】第３実施形態の変速機におけるハイポイドギヤ周辺をクラウンギヤの軸方向から見た模式図である。
【図１０】図９のＸ−Ｘ部矢視模式的断面図等である。
【図１１】本発明を適用した動力伝達装置の潤滑構造の第４実施形態を有する変速機におけるハイポイドギヤ周辺の斜視図である。
【図１２】第４実施形態の変速機におけるハイポイドギヤ周辺をクラウンギヤの軸方向から見た模式図である。
【図１３】図１２のXIII−XIII部矢視模式的断面図等である。
【発明を実施するための形態】
【００１３】
＜第１実施形態＞
以下、本発明を適用した動力伝達装置の潤滑構造の第１実施形態について説明する。
第１実施形態における動力伝達装置の潤滑構造は、例えば、乗用車等の自動車に搭載され、車両の走行用動力源であるエンジンの回転出力を変速する変速機に設けられる。
第１実施形態において、変速機は、一例としてチェーン式の無段変速機（ＣＶＴ）である。
【００１４】
図１は、第１実施形態における変速機の模式的断面図であって、車両側方から見た状態を示す図である。
図２は、第１実施形態の変速機におけるハイポイドギヤ周辺の斜視図である。
第１実施形態において、エンジンは、クランクシャフトが車両前後方向に沿って搭載されるいわゆる縦置きレイアウトとなっている。
変速機１は、例えばアルミニウム系合金の鋳造品に所定の機械加工を施して形成されたトランスミッションケース１０の内部に、トルクコンバータ２０、前後進切替機構３０、プライマリプーリ４０、セカンダリプーリ５０、チェーン６０、ピニオンシャフト７０、クラウンギヤ８０、フロントディファレンシャル９０、トランスファクラッチ１００、コントロールバルブ１１０、バッフル２００等を収容して構成されている。
トランスミッションケース１０の前部には、ピニオンギヤ７２、クラウンギヤ８０、フロントディファレンシャル９０等からなる最終減速装置が収容されるデフハウジング１１が形成されている。
デフハウジング１１の下部には、所定の油面高さまで潤滑油が溜められている。
潤滑油の油面高さは、クラウンギヤ８０の下部が浸漬される程度に設定されている。
【００１５】
トルクコンバータ２０は、図示しないエンジンの出力軸が接続される流体継手であって、車両の車速ゼロ状態からの発進を可能とする発進デバイスとして機能する。
トルクコンバータ２０は、入力軸に接続されたステータ、出力軸に接続されたタービン、及び、これらの間に設けられトランスミッションケース１０に対して固定されたステータ等を有する。
トルクコンバータ２０は、所定の運転状態にあるときにインペラとタービンとの相対回転を拘束するロックアップクラッチを備えている。
ロックアップクラッチの締結力は、図示しないトランスミッション制御ユニットにより制御される。
トルクコンバータ２０の出力軸２１は、前後進切替機構３０に接続されている。
【００１６】
前後進切替機構３０は、トルクコンバータ２０の出力回転を逆転させることにより、車両の後進を可能とするものである。
前後進切替機構３０は、前進時にはトルクコンバータ２０の出力軸２１とプライマリプーリ４０の入力軸とを直結させ、出力軸２１の回転をそのままプライマリプーリ４０に伝達する。
また、後進時には、前後進切替機構３０は、出力軸２１の回転方向を逆転させてプライマリプーリ４０に伝達することによって、プライマリプーリ４０以降の回転方向を逆転させ、車両の前後進の切替を行う。
前後進切替機構３０は、同心に配置されたサンギヤとインターナルギヤとの間に、プラネタリキャリアで支持された複数のプラネタリギヤを組み込んだプラネタリギヤ機構を備えている。
サンギヤ、インターナルギヤは、それぞれ前後進切替機構３０の入力軸、出力軸に接続される。
前後進切替機構３０において、前進時にはプラネタリギヤの自転は拘束され、サンギヤとインターナルギヤは同じ角速度で同一方向に回転する。
このとき、プラネタリギヤもまたサンギヤ等と同じ回転速度で公転する。
また、後進時には、プラネタリギヤが自転することによって、サンギヤとインターナルギヤは逆方向に回転する。
【００１７】
プライマリプーリ４０、セカンダリプーリ５０、チェーン６０は、協働して変速機１の変速機構部（バリエータ）を構成するものである。
プライマリプーリ４０、セカンダリプーリ５０は、平行に配置された回転中心軸回りにそれぞれ回転可能とされている。
プライマリプーリ４０、セカンダリプーリ５０は、チェーン６０を挟持する固定シーブ及び可動シーブをそれぞれ有する。
【００１８】
チェーン６０は、プライマリプーリ４０とセカンダリプーリ５０との間に巻き掛けられ、これらの間で動力伝達を行う。
チェーン６０は、シーブ間に挟持される複数のロッカーピンの間を、リンクプレートによって連結して構成されている。
プライマリプーリ４０、セカンダリプーリ５０は、図示しないトランスミッション制御ユニットによる制御に応じて、固定シーブと可動シーブとの間隔を無段階に変更することが可能となっており、これによってチェーン６０が巻き掛けられる有効径を変化させて変速を行うことができる。
【００１９】
プライマリプーリ４０の回転中心軸は、エンジンのクランクシャフト、トルクコンバータ２０、前後進切替機構３０のサンギヤの回転中心軸と同軸上に配置されている。
プライマリプーリ４０の回転中心軸は、車両の前後方向に沿って配置されている。
セカンダリプーリ５０の回転中心軸は、プライマリプーリ４０の回転中心軸の下方に配置されている。
【００２０】
セカンダリプーリ５０の出力軸５１には、ピニオンシャフト７０を駆動するリダクションドライブギヤ５２が設けられている。
ピニオンシャフト７０は、セカンダリプーリ５０の回転中心軸と平行に配置された回転軸である。
ピニオンシャフト７０は、リダクションドリブンギヤ７１、ピニオンギヤ７２、トランスファドライブギヤ７３が設けられている。
【００２１】
リダクションドリブンギヤ７１は、セカンダリプーリ５０のリダクションドライブギヤ５２と噛合い、セカンダリプーリ５０から回転速度を減速しつつ動力が伝達されるものである。
リダクションドリブンギヤ７１は、ピニオンシャフト７０の中間部に設けられている。
ピニオンギヤ７２は、クラウンギヤ８０と噛合い、これを駆動するものである。
ピニオンギヤ７２は、ピニオンシャフト７０の前端部（エンジン側の端部）に設けられている。
トランスファドライブギヤ７３は、トランスファクラッチ１００の入力軸１０１に設けられたトランスファドリブンギヤ９２と噛合い、トランスファクラッチ１００に動力を伝達するものである。
トランスファドライブギヤ７３は、ピニオンシャフト７０の後端部に設けられている。
【００２２】
クラウンギヤ８０は、回転中心軸を車幅方向に沿わせて配置された円環状のギヤである。
クラウンギヤ８０の軸方向における一方の面部には、ピニオンギヤ７２の歯と噛合う歯が周方向に配列されている。
クラウンギヤ８０の軸方向において、歯が形成される側を、以下、歯側部８１と称して説明する。
【００２３】
クラウンギヤ８０は、ピニオンシャフト７０のピニオンギヤ７２によって駆動される。
クラウンギヤ８０の回転中心軸は、上方から見るとピニオンシャフト７０の回転中心軸と直交し、車幅方向から見るとピニオンシャフト７０の回転中心軸よりも低い位置に配置された、いわゆるねじれた位置関係にある。
クラウンギヤ８０とピニオンギヤ７２は、前輪用の最終減速装置となるハイポイドギヤ（食い違い軸歯車）を構成している。
【００２４】
クラウンギヤ８０、ピニオンギヤ７２は、所定のねじれ角を有する曲がり歯傘歯車である。
第１実施形態においては、例えば、図２に示されるように、クラウンギヤ８０が右ねじれ、ピニオンギヤ７２が左ねじれとなっている。
クラウンギヤ８０の歯側部８１側と反対側には、フロントディファレンシャル９０が取り付けられる。
クラウンギヤ８０の中央部の開口８２は、フロントディファレンシャル９０から右前輪に動力を伝達する図示しない軸部が挿通されるほか、歯側部８１側からフロントディファレンシャル９０側へ、潤滑油を導入する流路としても機能する。
【００２５】
フロントディファレンシャル９０は、クラウンギヤ８０から入力される動力を左右前輪に伝達するとともに、旋回時等における左右前輪の回転速度差を許容する差動機構である。
フロントディファレンシャル９０は、例えば、左右のドライブシャフトが接続される左右一対のサイドギヤと、クラウンギヤ８０に対して固定された回転軸を有し、左右のサイドギヤとそれぞれ噛合うピニオンギヤとを有して構成される。
例えば車両の直進時のように、左右前輪の回転速度差がない場合には、ピニオンギヤは自転せず、左右のサイドギヤは相対回転することなく、クラウンギヤ８０と一体になって回転する。
一方、旋回時のように、左右前輪の回転速度差がある場合には、ピニオンギヤが自転することにより、左右のサイドギヤに回転速度差が生じて左右前輪の回転速度差を許容するようになっている。
【００２６】
フロントディファレンシャル９０のデフケースＣにおけるクラウンギヤ８０の開口８２内に露出する部分には、開口８２の内部からデフケースＣの内部に潤滑油を導入可能な開口９１が形成されている。
【００２７】
トランスファクラッチ１００は、ピニオンシャフト７０から伝達される駆動力を後輪側へ伝達するとともに、後輪側へ伝達されるトルクを調節するものである。
トランスファクラッチ１００は、例えば、油圧式の湿式多板クラッチを備え、その締結力（伝達トルク）は、トランスミッション制御ユニットにより、車両の走行状態に応じて適宜制御されるようになっている。
トランスファクラッチ１００は、プライマリプーリ４０の後方側に配置されている。
トランスファクラッチ１００の入力軸１０１は、トランスファクラッチ１００の前方側に突出しており、トランスファドリブンギヤ１０２が設けられている。
トランスファクラッチ１００の出力軸１０３は、トランスファクラッチ１００の後方側に突出しており、その後端部はプロペラシャフトＰの前端部に連結されている。
プロペラシャフトＰは、車体後部に設けられた図示しないピニオンギヤ、クラウンギヤ、リアディファレンシャル、リアドライブシャフトを介して、後輪に駆動力を伝達する回転軸である。
【００２８】
コントロールバルブ１１０は、図示しないオイルポンプにより加圧され供給されるオイル（ＣＶＴフルード）を、図示しないトランスミッション制御ユニットからの指令に応じて変速機１内の各部位へ供給するものである。
コントロールバルブ１１０は、トランスミッションケース１０内において、トルクコンバータ２０の出力軸２１の上方に配置されている。
【００２９】
図３は、第１実施形態の変速機におけるハイポイドギヤ周辺をクラウンギヤの軸方向から見た模式図である。
図４は、図３のIV−IV部矢視模式的断面図等である。
図４において、図４（ａ）は、図３のIV−IV部矢視模式的断面図であり、図４（ｂ）は、図４（ａ）のｂ−ｂ部矢視断面図である。（後述する図７，１０，１３において同じ）
バッフル２００は、デフハウジング１１の内部において、クラウンギヤ８０の下部を覆って設けられた部材である。バッフル２００は、デフハウジング１１に対して固定されている。
バッフル２００は、側面部２１０、周面部２２０を有し、上方が開口したカップ型の容器状に形成されている。
なお、バッフル２００の一方の側面部２１０は、フロントディファレンシャル９０の下部を覆うよう、クラウンギヤ８０の軸方向に沿って延伸される構成としてもよい。
【００３０】
側面部２１０は、クラウンギヤ８０の回転中心軸と直交する平面に沿って配置された面部である。
クラウンギヤ８０の歯側部８１と隣接する側面部は、クラウンギヤ８０の歯先と間隔を隔てて対向して配置されている。
【００３１】
周面部２２０は、クラウンギヤ８０の外周縁部に沿って配置された面部である。
周面部２２０は、クラウンギヤ８０の回転中心軸方向から見たときに、円弧状となるように湾曲して形成されている。
周面部２２０の内面は、クラウンギヤ８０の外周面と間隔を隔てて対向して配置されている。
周面部２２０の下部には、デフハウジング１１内の他部から潤滑油がバッフル２００の内側に流入することを許容する開口が設けられている。
【００３２】
バッフル２００を設けることにより、デフハウジング１１の内部におけるバッフル２００の外側の領域では、クラウンギヤ８０に起因する潤滑油の乱れが抑制されることから、クラウンギヤ８０が回転する際の潤滑油の攪拌ロスを抑制することができる。
しかし、攪拌ロスの低下のため、このようにバッフル２００を設けたり、デフハウジング１１内の油量（油面高さ）を低下させた場合には、クラウンギヤ８０が回転時にかき上げる潤滑油の飛沫が少なくなり、ハイポイドギヤの噛合箇所Ｍの潤滑条件が厳しくなることが懸念される。
そこで、第１実施形態においては、バッフル２００に以下説明する潤滑油案内部３００を設けることにより、比較的少量の潤滑油飛沫であっても噛合箇所Ｍの潤滑状態改善を図っている。
バッフル２００と潤滑油案内部３００とは、例えば樹脂系材料をインジェクション成型することにより、一体に形成されている。
【００３３】
潤滑油案内部３００は、本体部３１０、ステー部３２０を有する。
本体部３１０は、クラウンギヤ８０が回転時（車両の走行時）にバッフル２００の内部からかき上げる潤滑油、及び、デフハウジング１１の天井部などの上方に配置された他部品から滴下する潤滑油の飛沫を、車両後方側（ピニオンギヤ７２側）へ偏向させてクラウンギヤ８０の歯側部８１の内周縁部とピニオンギヤ７２の先端部（クラウンギヤ８０の内径側の端部）との噛み込み開始箇所付近に案内し、ここから噛合箇所Ｍに導入するものである。
ステー部３２０は、クラウンギヤ８０の歯側部８１と隣接する側の側面部２２０の上端縁部から、上方へ突出して形成されている。
本体部３１０は、ステー部３２０の上端部から、クラウンギヤ８０の回転中心軸方向に沿ってフロントディファレンシャル９０側へ突出している。
【００３４】
図４（ｂ）等に示すように、本体部３１０は、上面部３１１、下面部３１２を有する。
上面部３１１は、本体部３１０の上部に設けられ、例えばクラウンギヤ８０の回転時に遠心力によって飛散し、デフハウジング１１の天井部等の上方に配置された他部品に付着してから滴下する潤滑油を、車両後方側へ偏向させて噛合箇所付近に導入する面部である。
上面部３１１は、クラウンギヤ８０の回転軸方向から見たときに、ピニオンギヤ７２側（クラウンギヤ８０の外径側・第１実施形態においては車両後方側）が、水平方向における反対側（第１実施形態においては車両前方側）に対して低くなる方向に傾斜した平面状に形成されている。
【００３５】
下面部３１２は、本体部３１０の下部に設けられ、例えばクラウンギヤ８０の回転時にクラウンギヤ８０の歯がバッフル２００の内部から飛沫としてかき上げる潤滑油を、車両後方側へ偏向させて噛合箇所Ｍ付近に導入する面部である。
下面部３１２は、クラウンギヤ８０の回転軸方向から見たときに、ピニオンギヤ７２側が、水平方向における反対側に対して高くなる方向に傾斜した平板状に形成されている。
【００３６】
図４（ｂ）に示すように、潤滑油案内部３００の本体部３１０を、クラウンギヤ８０の軸方向と直交する面で切って見た断面形状は、上面部３１１、下面部３１２の表面を二辺とする三角形状に形成されている。
上面部３１１と下面部３１２のピニオンギヤ７２側の端縁は相互に接続され、これらの境界部には鋭利なエッジ部が形成されている。
【００３７】
以下、第１実施形態の動力伝達装置の潤滑構造における動作について以下説明する。
車両が前進する場合には、ピニオンギヤ７２は、車両前方側から見た場合に反時計回り方向に回転する。
これに伴い、クラウンギヤ８０は、前輪と同じ前転方向、すなわち、図２、図３のように車両右側から見たときに時計回り方向に回転する。
このとき、ピニオンギヤ７２の歯の歯面と、クラウンギヤ８０の歯の歯面との接触位置は、クラウンギヤ８０の内径側から外径側へ移動するようになっている。
【００３８】
クラウンギヤ８０の下部は、デフハウジング１１の下部に設けられた潤滑油溜まりからバッフル２００の内部に流入し、バッフル２００の内部に貯留された潤滑油（デファレンシャルギヤオイル）に浸漬されている。
クラウンギヤ８０の車両後方側の領域は、回転時にバッフル２００内の潤滑油を飛沫としてかき上げて上昇させる。
この上昇する潤滑油Ｏ１の一部は、上昇中に潤滑油案内部３００の本体部３１０の下面部３１２に衝突し、車両後方側に偏向して、ピニオンギヤ７２とクラウンギヤ８０との噛合箇所Ｍに導入される。
また、クラウンギヤ８０は、回転時に遠心力によって潤滑油を径方向に飛散させ、その一部はデフハウジング１１の天井部等に付着する。
デフハウジング１１の天井部等から滴下する潤滑油Ｏ２の一部は、下降中に潤滑油案内部３００の本体部３１０の上面部３１１に衝突し、車両後方側に偏向して、ピニオンギヤ７２とクラウンギヤ８０との噛合箇所Ｍに導入される。
なお、前進時にはクラウンギヤ８０は、ピニオンギヤ７２の下方側にある歯から順次噛み込むことから、クラウンギヤ８０に潤滑油を供給する高さ（上面部３１１，下面部３１２の後端部の高さ）は、ピニオンギヤ７２の軸心に対して下方にオフセットさせることが好ましい。
【００３９】
以上説明したように、第１実施形態によれば、クラウンギヤ８０がかき上げる潤滑油Ｏ１の一部を、潤滑油案内部３００の本体部３１０の下面部３１２で偏向させて、クラウンギヤ８０の内径側からクラウンギヤ８０とピニオンギヤ７２との噛合箇所Ｍに供給することができる。
また、デフハウジング１１の天井部や、クラウンギヤ８０の上部など、噛合箇所Ｍの上方に配置された他部品等から滴下する潤滑油Ｏ２の一部を、潤滑油案内部３００の本体部３１０の上面部３１１で偏向させて、クラウンギヤ８０の内径側からクラウンギヤ８０とピニオンギヤ７２との噛合箇所Ｍに供給することができる。
本実施形態のようなハイポイドギヤにおいては、回転時の歯面の滑りに伴い、噛合箇所Ｍの一方の端部に供給された潤滑油は、各ギヤの歯面に沿って他方の端部側へ搬送されることから、少量の潤滑油によって歯面全体を効果的に潤滑することができる。
これによって、伝達効率を改善するとともに、焼付きなどのトラブルを防止して信頼性を向上することができる。
【００４０】
＜第２実施形態＞
次に、本発明を適用した動力伝達装置の潤滑構造の第２実施形態について説明する。
以下説明する各実施形態において、従前の実施形態と同様の箇所には同じ符号を付して説明を省略し、主に相違点について説明する。
図５は、第２実施形態の変速機におけるハイポイドギヤ周辺の斜視図である。
図６は、第２実施形態の変速機におけるハイポイドギヤ周辺をクラウンギヤの軸方向から見た模式図である。
図７は、図６のVII−VII部矢視模式的断面図等である。
【００４１】
第２実施形態においては、潤滑油案内部３００の本体部３１０の上面部３１１の高さを、第１実施形態に対して高くし、上面部３１１の後端部（ピニオンギヤ７２側の端部）から、ピニオンギヤ７２とクラウンギヤ８０との噛合箇所Ｍの上方に潤滑油Ｏ２を導入可能としている。
その結果、図７（ｂ）に示すように、潤滑油案内部３００の本体部３１０の断面形状は、例えば、台形状となっている。
【００４２】
以上説明した第２実施形態によれば、上述した第１実施形態の効果と同様の効果に加え、上方から滴下する潤滑油Ｏ２を、車両が後進する際の噛み込み側となる噛合箇所Ｍの上方側に供給することが可能となり、後進時におけるハイポイドギヤの潤滑状態を改善することが可能となる。
【００４３】
＜第３実施形態＞
次に、本発明を適用した動力伝達装置の潤滑構造の第３実施形態について説明する。
図８は、第３実施形態の変速機におけるハイポイドギヤ周辺の斜視図である。
図９は、第３実施形態の変速機におけるハイポイドギヤ周辺をクラウンギヤの軸方向から見た模式図である。
図１０は、図９のＸ−Ｘ部矢視模式的断面図等である。
【００４４】
第３実施形態においては、第１実施形態と同様の断面形状を有する潤滑油案内部３００の本体部３１０を、フロントディファレンシャル９０側へ延長し、潤滑油の一部をデフケースＣの開口９１を介してフロントディファレンシャル９０の内部へ供給可能としている。
図１０（ａ）に示すように、本体部３１０、上面部３１１、下面部３１２は、クラウンギヤ８０の径方向かつ水平方向から見たときに、ステー部３２０側よりもフロントディファレンシャル９０側の端部が高くなるように傾斜して配置されている。
【００４５】
以上説明した第３実施形態によれば、クラウンギヤ８０がかき上げて飛散し、本体部３１０の下面部３１２に衝突する潤滑油Ｏ１の一部が、フロントディファレンシャル９０に向かう側（車幅方向左側）に偏向して下面部３１２に沿って流れ、フロントディファレンシャル９０の内部に開口９１から供給されることにより、フロントディファレンシャル９０の差動機構の潤滑状態を改善することができる。
【００４６】
＜第４実施形態＞
次に、本発明を適用した動力伝達装置の潤滑構造の第４実施形態について説明する。
図１１は、第４実施形態の変速機におけるハイポイドギヤ周辺の斜視図である。
図１２は、第４実施形態の変速機におけるハイポイドギヤ周辺をクラウンギヤの軸方向から見た模式図である。
図１３は、図１２のXIII−XIII部矢視模式的断面図等である。
図１３において、図１３（ｃ）は、図１３（ａ）のｃ−ｃ部矢視断面図である。
【００４７】
第４実施形態においては、潤滑油案内部３００の本体部３１０の断面形状は、ピニオンギヤ７２側の端部においては、第２実施形態と同様の台形であり、フロントディファレンシャル９０側の端部においては、第１実施形態と同様の三角形となっている。
その結果、図１３（ａ）に示すように、本体部３１０の上面部３１１は、ステー部３２０側に対してフロントディファレンシャル９０側が低くなるよう傾斜して配置されている。
一方、下面部３１２は、ステー部３２０側に対してフロントディファレンシャル９０側が高くなるよう傾斜して配置されている。
【００４８】
以上説明した第４実施形態においては、上述した第３実施形態の効果と同様の効果に加えて、潤滑油案内部３００の本体部３１０の上面部３１１を、クラウンギヤ８０の歯側部８１側に対してフロントディファレンシャル９０側が低くなる斜面としたことにより、デフハウジング１１の天井等から滴下する潤滑油Ｏ２の一部がフロントディファレンシャル９０のデフケースＣ側へ案内され、フロントディファレンシャル９０の内部に開口９１から供給されることにより、フロントディファレンシャル９０の差動機構の潤滑状態をさらに改善することができる。
【００４９】
（変形例）
本発明は、以上説明した各実施形態に限定されることなく、種々の変形や変更が可能であって、それらも本発明の技術的範囲内である。
（１）動力伝達装置を含む変速機や、動力伝達装置の潤滑構造を構成する各部材の形状、構造、材質、製法、配置、個数などは、上述した各実施形態に限定されることなく適宜変更することができる。
（２）上述した各実施形態は、例えば、縦置きトランスミッションを有する車両の前輪用差動機構に用いられるものであったが、本発明はこれに限らず、例えばプロペラシャフトを介して駆動される後輪用最終減速装置に設けられる差動機構の潤滑にも用いることができる。
（３）各実施形態においては、潤滑油案内部をクラウンギヤの下部を覆って設けられるバッフルに設ける構成としているが、潤滑油案内部は、車両の走行時に回転しない他の部品に取り付けてもよい。例えば、最終減速装置が収容されるハウジングの壁面から突出して設けられる構成としてもよい。
また、本発明は、バッフルを備えない動力伝達装置であっても適用することが可能であり、この場合であっても潤滑油の油量が小さい場合（油面が低い場合）などには潤滑状態の改善に有効である。
（４）各実施形態において、差動機構は、一例としてサイドギヤ、ピニオンギヤ等により構成されるものであったが、本発明は例えばウォームギヤ等を用いたトルクセンシング式の差動制限機能を有する差動機構など、他種の差動機構の潤滑にも適用することができる。
（５）各実施形態は、ピニオンギヤの回転中心軸とクラウンギヤの回転中心軸とがねじれて配置された関係にあるハイポイドギヤに係るものであったが、本発明はこれに限らず、ピニオンギヤの回転中心軸とクラウンギヤの回転中心軸とが交わって配置されたスパイラルベベルギヤにも適用することが可能である。
【符号の説明】
【００５０】
１    変速機                        １０    トランスミッションケース
１１    デフハウジング
２０    トルクコンバータ              ２１    出力軸
３０    前後進切替機構                ４０    プライマリプーリ
５０    セカンダリプーリ              ５１    出力軸
５２    リダクションドライブギヤ      ６０    チェーン
７０    ピニオンシャフト              ７１    リダクションドリブンギヤ
７２    ピニオンギヤ                  ７３    トランスファドライブギヤ
８０    クラウンギヤ                  ８１    歯側部
８２    開口
９０    フロントディファレンシャル      Ｃ    デフケース
９１    開口
１００    トランスファクラッチ
１０１    入力軸                      １０２    トランスファドリブンギヤ
１０３    出力軸                      １１０    コントロールバルブ
Ｐ    プロペラシャフト
２００    バッフル                    ２１０    側面部
２２０    周面部
３００    潤滑油案内部                ３１０    本体部
３１１    上面部                      ３１２    下面部
３２０    ステー部
Ｏ１，Ｏ２  潤滑油                      Ｍ    噛合箇所
【図１】
2020070841.tif 000003
【図２】
2020070841.tif 000004
【図３】
2020070841.tif 000005
【図４】
2020070841.tif 000006
【図５】
2020070841.tif 000007
【図６】
2020070841.tif 000008
【図７】
2020070841.tif 000009
【図８】
2020070841.tif 000010
【図９】
2020070841.tif 000011
【図１０】
2020070841.tif 000012
【図１１】
2020070841.tif 000013
【図１２】
2020070841.tif 000014
【図１３】
2020070841.tif 000015